(57)【要約】【課題】待機時の電力消費が少ない点灯装置を得る。【解決手段】制御回路６０は、光源モジュール２００が点灯装置１００から取り外されている時は、低いクロック周波数で動作する。そして、光源モジュール２００が点灯装置１００に装着され、ランプ接続検出回路３０により点灯指示信号が出力された場合に、制御回路６０は、クロック周波数を低周波数から高周波数に切り替えて動作する。更に、光源モジュール２００が点灯装置１００から再度取り外されてランプ接続検出回路３０により消灯指示信号が出力された場合に、制御回路６０は、クロック周波数を高周波数から低周波数に切り替えて動作する。【選択図】図１
2014099283.tif 000002
【特許請求の範囲】
【請求項１】
光源を点灯する点灯装置において、
交流電源から供給される交流電圧から直流電圧を生成する直流生成部と、
前記光源を点灯する点灯部であって、制御を受けることによって前記直流生成部により生成された直流電圧から前記光源へ供給する光源電圧への変換動作を実行して前記光源電圧を生成する点灯部と、
出力信号として、前記光源の点灯を指示する信号である点灯指示信号を少なくとも出力する指示信号出力部と、
前記直流生成部により生成された直流電圧を第１の直流電圧に変換して供給する第１電圧変換部と、
前記第１電圧変換部により変換された第１の直流電圧が供給され、供給された第１の直流電圧により第１のクロック周波数で動作して前記指示信号出力部により出力される前記出力信号を監視し、前記指示信号出力部により前記点灯指示信号が出力されると、前記第１のクロック周波数から前記第１のクロック周波数よりも周波数が高い第２のクロック周波数に切り替えて動作すると共に、前記点灯部に対する制御によって前記点灯部に前記変換動作を実行させる演算装置と、
前記演算装置による制御によって前記変換動作を実行する前記点灯部により生成された前記光源電圧から第２の直流電圧を取り出して供給する第２電圧変換部と
を備え、
前記第１電圧変換部は、
前記第２電圧変換部により取り出された前記第２の直流電圧が供給され、前記第２の直流電圧が供給されると、前記直流生成部により生成された直流電圧から前記第１の直流電圧への変換を停止すると共に、前記第１の直流電圧を前記第２の直流電圧に基づく第３の直流電圧に切り替えて、切り替えた前記第３の直流電圧を前記演算装置に供給し、
前記演算装置は、
前記第１の直流電圧から切り替えられた前記第３の直流電圧の供給により動作を継続することを特徴とする点灯装置。
【請求項２】
前記第１電圧変換部は、
前記第２電圧変換部により供給された前記第２の直流電圧の電圧値を変換し、もしくは維持して、前記第３の直流電圧として供給することを特徴とする請求項１記載の点灯装置。
【請求項３】
前記点灯部は、
制御を受けることにより前記変換動作を停止し、
前記指示信号出力部は、
前記出力信号として、前記光源の消灯を指示する信号である消灯指示信号を出力し、
前記演算装置は、
前記点灯部に前記変換動作を実行させているときに、前記指示信号出力部により前記消灯指示信号が出力されると、前記点灯部に対する制御によって前記点灯部に前記変換動作を停止させると共に、前記第２のクロック周波数から前記第１のクロック周波数に切り替えて動作することを特徴とする請求項１又は２記載の点灯装置。
【請求項４】
前記直流生成部は、
前記交流電源から供給される交流電圧を全波整流し、全波の直流電圧を出力する整流部と、
前記第２電圧変換部により前記第２の直流電圧が動作用の電圧として供給され、かつ、制御を受けることにより前記整流部により出力された全波の直流電圧を昇圧する昇圧動作を実行すると共に、前記昇圧動作の実行中に制御を受けることにより前記昇圧動作を停止する昇圧部と、
前記昇圧部により昇圧された全波の直流電圧を平滑化し、平滑化した全波の直流電圧を生成する平滑化部とを有し、
前記演算装置は、
前記指示信号出力部により前記点灯指示信号が出力されると、前記昇圧部に対する制御によって前記昇圧部に前記昇圧動作を実行させ、前記昇圧部に前記昇圧動作を実行させているとき、前記指示信号出力部により前記消灯指示信号が出力されると、前記昇圧部に対する制御によって前記昇圧部に前記昇圧動作を停止させることを特徴とする請求項３記載の点灯装置。
【請求項５】
前記点灯部は、
前記演算装置による制御によって、前記変換動作を停止して前記光源電圧の生成を停止し、
前記第２電圧変換部は、
前記点灯部により前記光源電圧の生成が停止されると、前記第２の直流電圧の供給を停止し、
前記第１電圧変換部は、
前記第２電圧変換部により前記第２の直流電圧の供給が停止されると、前記第２の直流電圧に基づく前記第３の直流電圧の供給を停止し、前記直流生成部により生成された直流電圧から前記第１の直流電圧への変換を再開することを特徴とする請求項３又は４記載の点灯装置。
【請求項６】
前記点灯装置は、
前記光源が着脱可能に取り付けられ、
前記指示信号出力部は、
前記光源の着脱を監視し、前記光源が装着された場合に前記点灯指示信号を出力し、前記光源が取り外された場合に前記消灯指示信号を出力することを特徴とする請求項３〜５いずれか記載の点灯装置。
【請求項７】
前記指示信号出力部は、
前記光源の異常の有無を監視し、前記光源に異常が無い場合に前記点灯指示信号を出力し、前記光源に異常が有る場合に前記消灯指示信号を出力することを特徴とする請求項３〜６いずれか記載の点灯装置。
【請求項８】
前記指示信号出力部は、
前記光源の点灯指示と前記光源の消灯指示とを入力する入力装置を有し、前記入力装置により前記光源の点灯指示が入力された場合に前記点灯指示信号を出力し、前記入力装置により前記光源の消灯指示が入力された場合に前記消灯指示信号を出力することを特徴とする請求項３〜７いずれか記載の点灯装置。
【請求項９】
前記点灯装置は、
前記光源としてＬＥＤを点灯させることを特徴とする請求項１〜８いずれか記載の点灯装置。
【請求項１０】
請求項１〜９いずれか記載の点灯装置を備えることを特徴とする照明器具。
【発明の詳細な説明】
【技術分野】
【０００１】
本発明は、点灯装置及び照明器具に関するものである。本発明は、特に、光源としてＬＥＤを点灯させる点灯装置及び照明器具に関するものである。
【背景技術】
【０００２】
インバータ回路の発振開始前は主電源から電流制限素子を介してインバータ制御回路に電源を供給し、インバータ回路の発振開始後はインバータ回路の発振出力によりインバータ制御回路に電源を供給するようにした放電灯点灯装置において、インバータ回路の待機時にスイッチング素子を開閉することにより断続的に電流制限素子を介して主電源からインバータ制御回路に電流を供給するように構成した技術がある。（例えば、特許文献１参照。）
【先行技術文献】
【特許文献】
【０００３】
【特許文献１】特開平０７−５７８８７号公報
【発明の概要】
【発明が解決しようとする課題】
【０００４】
しかしながら、インバータ回路の待機時にスイッチング素子を開閉させる必要があり、待機時の制御電源電圧が不安定となることがあり、また、スイッチング素子を駆動（開閉）させる制御を行うため、待機電力が大きくなるという課題があった。
【０００５】
本発明は、例えば、待機時の電力消費が少ない点灯装置を得ることを主な目的とする。
【課題を解決するための手段】
【０００６】
本発明に係る点灯装置は、
光源を点灯する点灯装置において、
交流電源から供給される交流電圧から直流電圧を生成する直流生成部と、
前記光源を点灯する点灯部であって、制御を受けることによって前記直流生成部により生成された直流電圧から前記光源へ供給する光源電圧への変換動作を実行して前記光源電圧を生成する点灯部と、
出力信号として、前記光源の点灯を指示する信号である点灯指示信号を少なくとも出力する指示信号出力部と、
前記直流生成部により生成された直流電圧を第１の直流電圧に変換して供給する第１電圧変換部と、
前記第１電圧変換部により変換された第１の直流電圧が供給され、供給された第１の直流電圧により第１のクロック周波数で動作して前記指示信号出力部により出力される前記出力信号を監視し、前記指示信号出力部により前記点灯指示信号が出力されると、前記第１のクロック周波数から前記第１のクロック周波数よりも周波数が高い第２のクロック周波数に切り替えて動作すると共に、前記点灯部に対する制御によって前記点灯部に前記変換動作を実行させる演算装置と、
前記演算装置による制御によって前記変換動作を実行する前記点灯部により生成された前記光源電圧から第２の直流電圧を取り出して供給する第２電圧変換部と
を備え、
前記第１電圧変換部は、
前記第２電圧変換部により取り出された前記第２の直流電圧が供給され、前記第２の直流電圧が供給されると、前記直流生成部により生成された直流電圧から前記第１の直流電圧への変換を停止すると共に、前記第１の直流電圧を前記第２の直流電圧に基づく第３の直流電圧に切り替えて、切り替えた前記第３の直流電圧を前記演算装置に供給し、
前記演算装置は、
前記第１の直流電圧から切り替えられた前記第３の直流電圧の供給により動作を継続することを特徴とする。
【発明の効果】
【０００７】
本発明によれば、演算装置は、指示信号出力部により点灯指示信号が出力された場合に、第１のクロック周波数よりも高い第２のクロック周波数に切り替えて動作する。その為、演算装置は、点灯指示信号が出力される前の待機時において、第２のクロック周波数よりも低い第１のクロック周波数で動作しており、待機時の電力消費を少なくすることが可能である。
【図面の簡単な説明】
【０００８】
【図１】実施の形態１を示す図で、照明器具の構成を示す図。
【図２】実施の形態１を示す図で、点灯装置の動作を示すシーケンス図。
【図３】実施の形態１を示す図で、点灯装置の動作を示すタイミングチャート。
【図４】実施の形態１を示す図で、点灯装置の動作を示すフローチャート。
【図５】実施の形態２を示す図で、照明器具の構成を示す図。
【図６】実施の形態３を示す図で、照明器具の構成を示す図。
【図７】実施の形態４を示す図で、照明器具の構成を示す図。
【発明を実施するための形態】
【０００９】
実施の形態１．
（照明器具の概要）
図１は、照明器具８００の構成を示す図である。
照明器具８００は、点灯装置１００と光源モジュール２００とを備える。
点灯装置１００には、光源モジュール２００（光源）が接続（装着）され、交流電源ＡＣから交流電力が供給される。そして、点灯装置１００は、供給された交流電力を接続される光源モジュール２００に応じた電力に変換する。ここで、点灯装置１００は、光源モジュール２００が着脱可能に取り付けられ、接続時の光源モジュール２００を点灯する。
【００１０】
光源モジュール２００は、直列接続された複数の発光ダイオードＬＤと、この直列接続された発光ダイオードＬＤに対して並列に接続される接続抵抗Ｒｓとを有する。すなわち、点灯装置１００は、発光ダイオードＬＤを点灯させる。図１において、光源モジュール２００は６個の発光ダイオードＬＤを有しているが、発光ダイオードＬＤの個数は限定されるものではない。
【００１１】
（点灯装置１００全体の構成）
点灯装置１００は、直流生成部１５０、点灯回路２０（点灯部）、第一コンバータ回路４０（第２電圧変換部）、第二コンバータ回路５０（第１電圧変換部）、光源検出部１６０、ダイオードＤ３を備える。そして、直流生成部１５０は、整流回路ＤＢ（整流部）とＰＦＣ（Ｐｏｗｅｒ  Ｆａｃｔｏｒ  Ｃｏｒｒｅｃｔｉｏｎ、力率改善）回路１０とを備え、ＰＦＣ回路１０は、昇圧部１８０と平滑化部１７０とを備える。また、光源検出部１６０は、制御回路６０（演算装置）とランプ接続検出回路３０とを備える。
【００１２】
（整流回路ＤＢの説明）
整流回路ＤＢは、ダイオードブリッジ回路であり、交流電源ＡＣから供給された交流電圧を全波整流し、全波の直流電圧（以下、脈流もしくは整流ともいう）を出力する。すなわち、整流回路ＤＢは、交流電圧を全波の直流電圧に変換する。
【００１３】
（昇圧部１８０の説明）
昇圧部１８０は、抵抗Ｒ１、抵抗Ｒ２、インダクタＬ１、スイッチング素子Ｑ１、検出抵抗Ｒ３、ＰＦＣ制御回路１１を備える。スイッチング素子Ｑ１は、ＭＯＳ−ＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。
昇圧部１８０は、整流回路ＤＢに接続され、整流回路ＤＢにより変換された脈流は、抵抗Ｒ１と抵抗Ｒ２によって分圧される。
そして、ＰＦＣ制御回路１１は、制御回路６０からの制御を受け、更に、第一制御電源Ｖｃｃ１（後述）が供給されると、抵抗Ｒ２に印加される分圧電圧と、検出抵抗Ｒ３によって検出される検出電圧とを監視し、監視結果に基づいて、スイッチング素子Ｑ１をスイッチング制御する。スイッチング素子Ｑ１がスイッチング制御されることによって、インダクタＬ１に対し電流が充電もしくは放電され、整流回路ＤＢにより変換された脈流の電圧（整流回路ＤＢの出力電圧）よりも高い所定の電圧まで、当該脈流が昇圧される。すなわち、昇圧部１８０は、整流回路ＤＢにより出力された脈流を昇圧する。
なお、スイッチング素子Ｑ１がスイッチング制御されていない場合は、整流回路ＤＢにより出力された脈流は昇圧されない。
【００１４】
（平滑化部１７０の説明）
平滑化部１７０は、ダイオードＤ１とコンデンサＣ１とを備える。
昇圧部１８０により出力された脈流は、ダイオードＤ１を介してコンデンサＣ１に充電されることで平滑化され、平滑化部１７０は、平滑化された電圧である直流電源Ｖｄｃを出力する。
すなわち、直流生成部１５０（整流回路ＤＢ及びＰＦＣ回路１０）は、交流電源ＡＣから供給される交流電圧から直流電圧を生成する。そして、直流生成部１５０が生成する直流電圧（ＰＦＣ回路１０が出力する直流電圧）を直流電源Ｖｄｃと称する。
【００１５】
（点灯回路２０の説明）
点灯回路２０は、コイルＬ２の一次巻線Ｌ２ｐと、スイッチング素子Ｑ２と、ダイオードＤ４と、点灯制御回路２１とを備える。スイッチング素子Ｑ２は、ＭＯＳ−ＦＥＴである。また、コイルＬ２は、一次巻線Ｌ２ｐと後述の二次巻線Ｌ２ｓとを有し、一次巻線Ｌ２ｐと二次巻線Ｌ２ｓとが磁気的に結合されたトランスである。
図１に示す点灯回路２０は、いわゆるバックコンバータ回路を構成しているが、他の構成（ブーストコンバータ回路やフライバック回路）でもかまわない。
点灯回路２０は、直流生成部１５０に接続される。そして、点灯回路２０（点灯制御回路２１）は、制御を受けることによって直流生成部１５０により生成された直流電源Ｖｄｃから光源モジュール２００へ供給する光源電圧への変換動作を実行して光源電圧を生成する。ここで、光源電圧への変換動作とは、スイッチング素子Ｑ２の発振（スイッチング）動作である。
そして、点灯回路２０は、光源モジュール２００内の発光ダイオードＬＤの点灯に必要な電圧値以上の電圧を生成し、生成した電圧により点灯回路２０に接続される光源モジュール２００内の発光ダイオードＬＤを点灯する。なお、光源モジュール２００内の発光ダイオードＬＤを点灯することを「光源モジュール２００を点灯する」という。
【００１６】
（ランプ接続検出回路３０の説明）
ランプ接続検出回路３０は、光源モジュール２００の着脱を監視する。
ランプ接続検出回路３０は、直列接続された３つの抵抗Ｒ３１〜抵抗Ｒ３３を備える。また、ランプ接続検出回路３０には電圧が供給されている。そして、光源モジュール２００が点灯装置１００に接続された時は、接続抵抗Ｒｓが抵抗Ｒ３１、抵抗Ｒ３２に並列に接続される為、光源モジュール２００が接続された時と、取り外された時とで、抵抗Ｒ３１と抵抗Ｒ３２との接続点における電圧が変化する。
ランプ接続検出回路３０は、この抵抗Ｒ３１と抵抗Ｒ３２との接続点における電圧をランプ接続検出信号として出力する。
【００１７】
（制御回路６０の説明）
制御回路６０は、マイクロコンピュータ（ＣＰＵ：Ｃｅｎｔｒａｌ  Ｐｒｏｃｅｓｓｉｎｇ  Ｕｎｉｔ）である。
制御回路６０は、ランプ接続検出信号を監視し、監視結果に基づき、ＰＦＣ制御回路１１と点灯制御回路２１とを制御する。
【００１８】
（第一コンバータ回路４０の説明）
第一コンバータ回路４０は、コイルＬ２の二次巻線Ｌ２ｓとダイオードＤ２とを備える。第一コンバータ回路４０は、点灯回路２０が発振動作することによって点灯回路２０により生成された電力（光源電圧）から第一制御電源Ｖｃｃ１（第２の直流電圧）を取り出して供給する。換言すると、第一コンバータ回路４０は、点灯回路２０が生成する電力により、二次巻線Ｌ２ｓに発生する電圧をダイオードＤ２が整流することによって、点灯回路２０が生成する電力の一部を得て、第一制御電源Ｖｃｃ１を生成する。
【００１９】
（第二コンバータ回路５０の説明）
第二コンバータ回路５０は、ＰＦＣ回路１０と第一コンバータ回路４０とに接続される。第二コンバータ回路５０は、点灯回路２０が光源モジュール２００を点灯している場合には、第一コンバータ回路４０から第一制御電源Ｖｃｃ１が供給される。そして、第二コンバータ回路５０は、第二制御電源Ｖｃｃ２として、動作用制御電源Ｖ２２（第３の直流電圧）を点灯制御回路２１及び制御回路６０及びランプ接続検出回路３０に供給する。ここで、動作用制御電源Ｖ２２とは、第一コンバータ回路４０から供給される第一制御電源Ｖｃｃ１に基づく電源であり、点灯時用電圧値Ｖ２２の第二制御電源Ｖｃｃ２である。
一方、第二コンバータ回路５０は、点灯回路２０が光源モジュール２００を点灯していない場合には、直流生成部１５０により生成された直流電源Ｖｄｃを待機用制御電源Ｖ２１（第１の直流電圧）に変換する。そして、第二コンバータ回路５０は、変換した待機用制御電源Ｖ２１を点灯制御回路２１及び制御回路６０及びランプ接続検出回路３０に供給する。ここで、待機用制御電源Ｖ２１とは、直流生成部１５０により生成された直流電源Ｖｄｃに基づく電源であり、待機用電圧値Ｖ２１の第二制御電源Ｖｃｃ２である。
【００２０】
（点灯装置１００の動作）
次に、点灯装置１００の動作について説明する。
図２は、点灯装置１００の動作を示すシーケンス図である。
図３は、点灯装置１００の動作を示すタイミングチャートである（（ａ）は交流電源ＡＣの電圧、（ｂ）は直流電源Ｖｄｃの電圧、（ｃ）は第二制御電源Ｖｃｃ２の電圧、（ｄ）はランプ接続検出信号の電圧、（ｅ）は点灯制御信号の電圧、（ｆ）はスイッチング素子Ｑ２の発振動作、（ｇ）は第一制御電源Ｖｃｃ１の電圧、（ｈ）はスイッチング素子Ｑ１の発振動作、（ｉ）は点灯装置１００の出力電圧）。
図４は、点灯装置１００の動作を示すフローチャートである。
【００２１】
（時刻ｔ１から時刻ｔ２の前までの説明）
時刻ｔ１は、交流電源ＡＣがオンとなる時刻である。
まず、時刻ｔ１（図３）において、交流電源ＡＣがオンとなり（図２のＳ２０１）、所定の電圧が供給される（図３（ａ））。ここで、図３（ａ）の交流電圧は、実効値を示している。
そして、整流回路ＤＢは、交流電圧を脈流に変換する。
時刻ｔ１において、スイッチング素子Ｑ１がスイッチング制御されていないので、整流回路ＤＢにより出力された脈流は昇圧されない。その為、平滑化部１７０は、整流回路ＤＢにより出力された脈流を平滑化し、平滑化した脈流を電圧値Ｖｐ１の直流電源Ｖｄｃとして生成する。すなわち、ＰＦＣ回路１０は、電圧値Ｖｐ１の直流電源Ｖｄｃを出力する（図２のＳ２０２、図３（ｂ））。この電圧値Ｖｐ１の直流電源Ｖｄｃは、第二コンバータ回路５０に供給される。
【００２２】
時刻ｔ１において、第一コンバータ回路４０から第一制御電源Ｖｃｃ１は供給されていない。
第二コンバータ回路５０は、直流生成部１５０により生成された（ＰＦＣ回路１０から供給された）電圧値Ｖｐ１の直流電源Ｖｄｃを待機用電圧値Ｖ２１の第二制御電源Ｖｃｃ２に変換する（図３（ｃ））。換言すると、第二コンバータ回路５０は、直流電源Ｖｄｃから待機用制御電源Ｖ２１（待機用電圧値Ｖ２１の第二制御電源Ｖｃｃ２）を生成する。
そして、第二コンバータ回路５０は、生成した待機用電圧値Ｖ２１の第二制御電源Ｖｃｃ２を点灯制御回路２１及び制御回路６０及びランプ接続検出回路３０に供給（出力）する（図２及び図４のＳ２０３）。
ここで、第二コンバータ回路５０により生成される第二制御電源Ｖｃｃ２の電圧値は、徐々に上昇する（図４のＳ３０１）。
なお、図３において、電圧が立ちあがる様子（電圧値が徐々に上昇する様子）については、図示を省略している。
【００２３】
点灯制御回路２１は、第二制御電源Ｖｃｃ２が供給されることにより、待機状態（スイッチング素子Ｑ２の発振制御可能な状態）となる（図２のＳ２０４）。
また、制御回路６０は、第二制御電源Ｖｃｃ２の電圧値が予め設定された閾値である電圧値Ｖｔｈ２１を超えると起動する（図２及び図４のＳ２０５）。すなわち、制御回路６０は、第二コンバータ回路５０により供給された待機用電圧値Ｖ２１の第二制御電源Ｖｃｃ２により動作する。
【００２４】
この時、制御回路６０は、動作クロックｆｃｐｕを低周波数（低速）に選択する（図４のＳ１０３）。そして、制御回路６０は、低周波数の動作クロックｆｃｐｕ（第１のクロック周波数）で動作する。
ここで、制御回路６０は、メモリを備えており、低周波数の動作クロックｆｃｐｕ（第１のクロック周波数）と後述の高周波数の動作クロックｆｃｐｕ（第２のクロック周波数）とを記憶している。そして、制御回路６０は、メモリに記憶されているクロック周波数の中から低い方のクロック周波数を選択する。また、制御回路６０は、低周波数の動作クロックｆｃｐｕと高周波数の動作クロックｆｃｐｕとを切り替えるスイッチを備えており、制御回路６０は、このスイッチを切り替えてもよい。
なお、動作クロックｆｃｐｕが高い方が、制御回路６０の処理能力は高いが、動作クロックｆｃｐｕが低い方が、制御回路６０の消費電力は少なくなる。
【００２５】
そして、ランプ接続検出回路３０は、ダイオードＤ３を介して、第二コンバータ回路５０により変換された待機用電圧値Ｖ２１の第二制御電源Ｖｃｃ２が供給される。
そして、抵抗Ｒ３１と抵抗Ｒ３２との接続点には、印加された待機用電圧値Ｖ２１の第二制御電源Ｖｃｃ２が抵抗Ｒ３１〜抵抗Ｒ３３により分圧された電圧値Ｖｒ１の電圧が生じる（図２のＳ２０６）。ランプ接続検出回路３０は、この電圧値Ｖｒ１の電圧をランプ接続検出信号として出力する。
なお、待機用電圧値Ｖ２１を低く設定することにより、ランプ接続検出回路３０での電力消費を抑えた上で、光源モジュール２００の接続状態を検出することが可能となる。例えば、待機用電圧値Ｖ２１は、点灯時用電圧値Ｖ２２よりも小さいことが好ましい。
【００２６】
そして、制御回路６０は、ランプ接続検出回路３０により出力される出力信号（ランプ接続検出信号）を監視する（図２及び図４のＳ２０７）。そして、制御回路６０は、この電圧値Ｖｒ１を検出する（図３（ｄ））。
すなわち、制御回路６０は、第二コンバータ回路５０により供給された待機用電圧値Ｖ２１の第二制御電源Ｖｃｃ２を電圧値Ｖｒ１として検出する。ここで、待機用電圧値Ｖ２１と抵抗Ｒ３１〜抵抗Ｒ３３の値は、既知である為、光源モジュール２００が取り外された状態での抵抗Ｒ３１と抵抗Ｒ３２との接続点における電圧値Ｖｒ１も既知である。つまり、電圧値Ｖｒ１のランプ接続検出信号は、光源モジュール２００が取り外された状態であることを示す信号である。そして、光源モジュール２００が取り外された状態においては消灯する必要が有る為、換言すると、電圧値Ｖｒ１のランプ接続検出信号は、光源モジュール２００の消灯を指示する信号である消灯指示信号である。
すなわち、ランプ接続検出回路３０は、光源モジュール２００が取り外された場合、及び、光源モジュール２００が取り外されている場合にランプ接続検出信号（出力信号）として消灯指示信号を出力する。このように、ランプ接続検出回路３０は、消灯指示信号を出力信号として出力する指示信号出力部の一種である。
【００２７】
制御回路６０は、フラグレジスタを備えている。そして、制御回路６０は消灯指示信号を検出すると、光源モジュール２００が点灯装置１００に接続されていない為、消灯制御フラグＦｏｆｆ＝０に設定する。
一方、制御回路６０は消灯指示信号を検出しないと（後述の点灯指示信号を検出すると）、消灯制御フラグＦｏｆｆ＝１に設定する。
【００２８】
そして、制御回路６０は消灯制御フラグＦｏｆｆ＝０であるか否かを判定する（図４のＳ１０５）。
ここで、消灯制御フラグＦｏｆｆ＝０なので（図４のＳ１０５の「ＹＥＳ」）、制御回路６０は消灯制御処理（図４のＳ１５０）を行い、ランプ接続検出信号の監視を継続する（図４のＳ２０７）。ここで、消灯制御処理とは、点灯回路２０のスイッチング素子Ｑ２の動作と、ＰＦＣ回路１０のスイッチング素子Ｑ１の動作とを停止させるように点灯制御回路２１とＰＦＣ制御回路１１とに対して制御する（消灯制御信号を出力する）処理である。スイッチング素子が元々停止している場合は、点灯制御回路２１とＰＦＣ制御回路１１とにおいて、特に何も処理は行われない。
【００２９】
（時刻ｔ２から時刻ｔ３の前までの説明）
時刻ｔ２は、光源モジュール２００が点灯装置１００に接続される時刻であり、光源検出部１６０が光源モジュール２００が点灯装置１００に接続されたことを検出する時刻である。
次に時刻ｔ２（図３）において、光源モジュール２００が点灯装置１００に接続される（図２のＳ２０８）。
接続抵抗Ｒｓが抵抗Ｒ３１、抵抗Ｒ３２に並列に接続される為、ランプ接続検出信号の電圧（抵抗Ｒ３１と抵抗Ｒ３２との接続点の電圧）は、電圧値Ｖｒ１から電圧値Ｖｒ２に上昇する（図２のＳ２０９、図３（ｄ））。そして、制御回路６０は、この電圧値Ｖｒ２を検出する。すなわち、制御回路６０は、第二コンバータ回路５０により供給された待機用電圧値Ｖ２１の第二制御電源Ｖｃｃ２を電圧値Ｖｒ２として検出する。ここで、待機用電圧値Ｖ２１と抵抗Ｒ３１〜抵抗Ｒ３３、接続抵抗Ｒｓの値は、既知である為、光源モジュール２００が接続された状態での抵抗Ｒ３１と抵抗Ｒ３２との接続点における電圧値Ｖｒ２も既知である。つまり、電圧値Ｖｒ２のランプ接続検出信号は、光源モジュール２００が接続状態であることを示す信号である。そして、光源モジュール２００が接続状態においては点灯する必要が有る為、換言すると、電圧値Ｖｒ２のランプ接続検出信号は、光源モジュール２００の点灯を指示する信号である点灯指示信号である。
すなわち、ランプ接続検出回路３０は、光源モジュール２００が接続された場合、及び、光源モジュール２００が接続されている場合にランプ接続検出信号（出力信号）として点灯指示信号を出力する。
換言すると、制御回路６０は、待機用電圧値Ｖ２１の第二制御電源Ｖｃｃ２の変化として電圧値Ｖｒ１から電圧値Ｖｒ２への変化を検出することで、光源モジュール２００が点灯装置１００に接続されたか否かを検出する。すなわち、制御回路６０は、ランプ接続検出回路３０の出力電圧の変化を待機用電圧値Ｖ２１の第二制御電源Ｖｃｃ２の変化として検出する。更に、換言すると、制御回路６０は、ランプ接続検出回路３０から出力されるランプ接続検出信号に基づき、点灯装置１００に光源モジュール２００が接続されたか否かを検出する。
なお、制御回路６０は、抵抗Ｒ３１と抵抗Ｒ３２との接続点における電圧の変化量が予め設定された閾値を超えた場合に、光源モジュール２００が点灯装置１００に接続されたと判定してもよい。また、制御回路６０は、抵抗Ｒ３１と抵抗Ｒ３２との接続点における電圧の値が、予め設定された閾値を超えた場合に、光源モジュール２００が点灯装置１００に接続されたと判定してもよい。
【００３０】
そして、制御回路６０は、ランプ接続検出信号の監視（図４のＳ２０７）において、点灯指示信号を検出する。すなわち、制御回路６０は、光源モジュール２００が点灯装置１００に接続されていることを検出する、もしくは、制御回路６０は、光源モジュール２００が点灯装置１００に接続されたと判定する（図２のＳ２１０）。そして、制御回路６０は消灯制御フラグＦｏｆｆ＝１に設定する。
【００３１】
消灯制御フラグＦｏｆｆ≠０なので（図４のＳ１０５の「ＮＯ」）、制御回路６０は、動作クロックｆｃｐｕを高周波数（高速）に選択する（図４のＳ１０６）。ここで、制御回路６０は、メモリに記憶されているクロック周波数の中から低い方のクロック周波数を選択する。または、制御回路６０は、低周波数の動作クロックｆｃｐｕと高周波数の動作クロックｆｃｐｕとを切り替えるスイッチを備えており、制御回路６０は、このスイッチを切り替えてもよい。そして、制御回路６０は、低周波数の動作クロックｆｃｐｕ（第１のクロック周波数）から当該低周波数よりも高い高周波数の動作クロックｆｃｐｕ（第２のクロック周波数）に切り替えて動作する。
【００３２】
そして、消灯制御フラグＦｏｆｆ≠０なので（図４のＳ１０５の「ＮＯ」）、制御回路６０は、点灯制御処理を行う（図４のＳ１０９）。
具体的には、制御回路６０は点灯回路２０（点灯制御回路２１）に対する制御によって点灯回路２０に変換動作を実行させる。ここで、変換動作とは、点灯回路２０が直流電源Ｖｄｃから光源電圧への変換を行う動作であり、具体的には、点灯制御回路２１がスイッチング素子Ｑ２を発振（スイッチング）させる動作である。そして、制御回路６０は点灯回路２０に対する制御を点灯制御信号によって行う。すなわち、制御回路６０は、点灯制御信号を点灯制御回路２１に出力する（図２のＳ２１１、図３（ｅ））。
更には、制御回路６０は昇圧部１８０（ＰＦＣ制御回路１１）に対する制御によって昇圧部１８０に昇圧動作を実行させる。ここで、昇圧動作とは、昇圧部１８０が整流回路ＤＢにより出力された脈流を昇圧する動作であり、具体的には、ＰＦＣ制御回路１１がスイッチング素子Ｑ１を発振（スイッチング）させる動作である。そして、制御回路６０は昇圧部１８０に対する制御を点灯制御信号によって行う。すなわち、制御回路６０は、点灯制御信号をＰＦＣ制御回路１１に出力する（図２のＳ２１１、図３（ｅ））。
【００３３】
点灯制御回路２１は、Ｓ２０４において既に待機状態である為、点灯制御信号が入力されると、スイッチング素子Ｑ２の発振を開始する（図２のＳ２１２、図３（ｆ））。すなわち、点灯回路２０は、光源検出部１６０による光源モジュール２００の接続検出を契機として、光源電圧への変換動作を開始する。
この時、点灯回路２０は、スイッチング素子Ｑ２の発振により、平滑化部１７０により生成された直流電源Ｖｄｃから光源電圧として、電圧値Ｖｏｆｆの出力電圧Ｖｏｕｔを生成する（図３（ｉ））。直流電源Ｖｄｃは、昇圧部１８０により昇圧されていない為、点灯回路２０が生成する電圧値Ｖｏｆｆでは、電圧値が低く、光源モジュール２００は点灯されない。すなわち、電圧値Ｖｏｆｆの出力電圧Ｖｏｕｔは、電圧値が光源モジュール２００の点灯に必要な電圧値よりも小さい消灯維持電圧である。
【００３４】
スイッチング素子Ｑ２の発振が開始されると、一次巻線Ｌ２ｐに電流が流れる。更に、二次巻線Ｌ２ｓが励磁されて二次巻線Ｌ２ｓに誘導電流が流れ始める。
これにより、第一コンバータ回路４０は、電圧値Ｖｏｆｆの出力電圧Ｖｏｕｔに基づく電圧値Ｖ１ａの第一制御電源Ｖｃｃ１を生成し、生成した第一制御電源Ｖｃｃ１の出力（供給）を開始する（図２のＳ２１３、図３（ｇ））。
すなわち、第一コンバータ回路４０は、スイッチング素子Ｑ２が発振動作することによって点灯回路２０により生成された光源電圧から第一制御電源Ｖｃｃ１を取り出して供給する。
なお、第一制御電源Ｖｃｃ１の出力が開始された後は、第一制御電源Ｖｃｃ１が第二制御電源Ｖｃｃ２の代わりに、ダイオードＤ３を介してランプ接続検出回路３０に供給されてもよい。ここで、図１において第一制御電源Ｖｃｃ１がダイオードＤ３を介してランプ接続検出回路３０に供給される結線の図示は省略する。
そして、第一コンバータ回路４０は、生成した第一制御電源Ｖｃｃ１を第二コンバータ回路５０とＰＦＣ制御回路１１とに供給（出力）する（図２のＳ２１３）。
【００３５】
（時刻ｔ３以降の説明）
時刻ｔ３は、スイッチング素子Ｑ１が発振を開始する時刻である。
ＰＦＣ制御回路１１には、制御回路６０より点灯制御信号が入力されているので、ＰＦＣ制御回路１１に第一制御電源Ｖｃｃ１が供給されると、ＰＦＣ制御回路１１は、時刻ｔ３においてスイッチング素子Ｑ１の発振を開始する（図２のＳ２１４、図３（ｈ））。すなわち、ＰＦＣ回路１０（昇圧部１８０）は、第一制御電源Ｖｃｃ１の供給が開始されると、整流回路ＤＢにより出力された全波の直流電圧（脈流）の昇圧を開始する。換言すると、ＰＦＣ回路１０（昇圧部１８０）は、第一コンバータ回路４０により第一制御電源Ｖｃｃ１が動作用の電圧として供給され、かつ、制御回路６０の制御を受けることにより整流回路ＤＢによって出力された全波の直流電圧（脈流）を昇圧する昇圧動作を実行する。
なお、ＰＦＣ制御回路１１は、第一制御電源Ｖｃｃ１によって動作するため、スイッチング素子Ｑ２の発振が開始されてから、スイッチング素子Ｑ１の発振が開始される。
【００３６】
そして、整流回路ＤＢにより出力された脈流は、昇圧され、平滑化部１７０は、昇圧部１８０により昇圧された脈流を平滑化し、平滑化した脈流を、電圧値Ｖｐ２の直流電源Ｖｄｃとして生成する。すなわち、ＰＦＣ回路１０は、電圧値Ｖｐ２の直流電源Ｖｄｃを出力する（図２のＳ２１４、図３（ｂ））。
そして、点灯回路２０は、ＰＦＣ回路１０により昇圧された直流電源Ｖｄｃ（昇圧部１８０により昇圧され、更に、平滑化部１７０により生成された直流電源Ｖｄｃ）から電圧値Ｖｆの出力電圧Ｖｏｕｔを生成する。すなわち、昇圧された直流電源Ｖｄｃが点灯回路２０に供給されることにより、点灯回路２０の出力電圧Ｖｏｕｔの電圧値は、電圧値Ｖｏｆｆから電圧値Ｖｆに上昇する（図３（ｉ））。
ここで、電圧値Ｖｆは、光源モジュール２００内の発光ダイオードＬＤの点灯に必要な電圧値以上である。換言すると、電圧値Ｖｆの出力電圧Ｖｏｕｔは、光源モジュール２００内の発光ダイオードＬＤを点灯させるための電圧である。そして、電圧値Ｖｆの出力電圧Ｖｏｕｔを点灯電圧と称する。この点灯電圧は、光源電圧の一種である。点灯回路２０は、この電圧値Ｖｆの出力電圧Ｖｏｕｔを光源モジュール２００に供給し、光源モジュール２００を点灯する（図２のＳ２１５）。
【００３７】
一方、昇圧された直流電源Ｖｄｃが点灯回路２０に供給されることにより、第一制御電源Ｖｃｃ１の電圧値も電圧値Ｖ１ａから電圧値Ｖ１ｂに上昇する（図３（ｇ））。換言すると、第一コンバータ回路４０は、電圧値Ｖｆの出力電圧Ｖｏｕｔに基づく電圧値Ｖ１ｂの第一制御電源Ｖｃｃ１を生成する。
そして、第二コンバータ回路５０は、供給される第一制御電源Ｖｃｃ１の電圧値Ｖ１ｂが予め設定された電圧値Ｖｔｈ１２を超えたか否かを判定する（図４のＳ１１０）。
第二コンバータ回路５０は、第一制御電源Ｖｃｃ１の電圧値Ｖ１ｂが電圧値Ｖｔｈ１２を超えたと判定した場合（図４のＳ１１０の「ＹＥＳ」）、直流電源Ｖｄｃから待機用電圧値Ｖ２１の第二制御電源Ｖｃｃ２を生成することを停止（第二コンバータ回路５０をオフ）する（図４のＳ２１６）。すなわち、第一コンバータ回路４０から電圧値Ｖ１ｂの第一制御電源Ｖｃｃ１が供給されると、第二コンバータ回路５０は、直流電源Ｖｄｃから、待機用電圧値Ｖ２１の第二制御電源Ｖｃｃ２への変換を停止する。なお、図１において、制御回路６０が第一制御電源Ｖｃｃ１を検出する為の結線の図示は省略しているが、制御回路６０が第一制御電源Ｖｃｃ１を検出し、電圧値Ｖｔｈ１２を超えたか否かを判定してもよい。そして、制御回路６０が第二コンバータ回路５０をオフしてもよい。
【００３８】
そして、第二コンバータ回路５０は、第一コンバータ回路４０により供給された第一制御電源Ｖｃｃ１を動作用制御電源Ｖ２２（点灯時用電圧値Ｖ２２の第二制御電源Ｖｃｃ２）としてランプ接続検出回路３０及び制御回路６０及び点灯制御回路２１に供給する（図２及び図４のＳ２１６、図３（ｃ））。
すなわち、第二コンバータ回路５０は、待機用制御電源Ｖ２１を第一制御電源Ｖｃｃ１に基づく動作用制御電源Ｖ２２に切り替えて、切り替えた動作用制御電源Ｖ２２を供給する。
ここで、第二コンバータ回路５０は、第一コンバータ回路４０により供給された第一制御電源Ｖｃｃ１の電圧値を変換（昇圧もしくは降圧）して、動作用制御電源Ｖ２２として供給してもよい。また、前述の通り、第二コンバータ回路５０は、第一コンバータ回路４０により供給された第一制御電源Ｖｃｃ１の電圧値を維持して、動作用制御電源Ｖ２２として供給してもよい。例えば、点灯時用電圧値Ｖ２２は、第一制御電源Ｖｃｃ１の電圧値より低くてもよい。すなわち、第二コンバータ回路５０は第一制御電源Ｖｃｃ１を降圧して点灯時用電圧値Ｖ２２の第二制御電源Ｖｃｃ２を生成してもよい。
なお、第一制御電源Ｖｃｃ１の電圧値が電圧値Ｖｔｈ１２を超えていない時は、Ｓ２１６の処理は、スキップされる。
【００３９】
なお、第二コンバータ回路５０は、第一コンバータ回路４０から電圧値Ｖ１ａの第一制御電源Ｖｃｃ１が供給された時点（図２及び図４のＳ２１３の時点）で、直流電源Ｖｄｃから、待機用電圧値Ｖ２１の第二制御電源Ｖｃｃ２への変換を停止してもよい。そして、第二コンバータ回路５０は、電圧値Ｖ１ａの第一制御電源Ｖｃｃ１に基づく動作用制御電源Ｖ２２を供給してもよい。
【００４０】
（光源モジュール２００点灯後の説明）
制御回路６０は、待機用制御電源Ｖ２１から切り替えられた動作用制御電源Ｖ２２の供給により動作を継続する。
そして、制御回路６０は、ランプ接続検出信号の監視を継続する（図４のＳ１１２）。
ここで、ランプ接続検出回路３０は、第二コンバータ回路５０が待機用制御電源Ｖ２１を動作用制御電源Ｖ２２に切り替えて供給している時は、動作用制御電源Ｖ２２が供給される。そして、制御回路６０は、ランプ接続検出回路３０に供給された動作用制御電源Ｖ２２の変化をランプ接続検出回路３０から出力される電圧の変化として検出することで、光源モジュール２００が取り外されたか否かを検出する。
なお、図１の点灯装置１００は、ランプ接続検出回路３０に出力電圧Ｖｏｕｔが供給されるように結線されているが、ランプ接続検出回路３０に出力電圧Ｖｏｕｔは供給されなくてもよい。動作用制御電源Ｖ２２の点灯時用電圧値Ｖ２２と出力電圧Ｖｏｕｔの電圧値Ｖｆも既知であり、これらの電圧値が反映された上で、点灯指示信号と消灯指示信号との電圧値は設定される。そして、制御回路６０は、設定された電圧値に基づき、点灯指示信号であるか消灯指示信号であるかの判断を行う。
光源モジュール２００が接続されたままの場合は、消灯制御フラグＦｏｆｆがゼロに設定されず（図４のＳ１１３）、Ｓ１１０、Ｓ２１６、Ｓ１１２の処理が継続される。すなわち、制御回路６０は、光源モジュール２００の点灯を継続する。
【００４１】
一方、光源モジュール２００が点灯装置１００から取り外された場合に、ランプ接続検出回路３０は、消灯指示信号を出力する。ここで、消灯指示信号の電圧値は、前述のＶｒ１とは異なる値が設定されていてもよい。
制御回路６０が消灯指示信号を検出した場合（光源モジュール２００が取り外されたことを検出した場合）は、消灯制御フラグＦｏｆｆがゼロとなり（図４のＳ１１３の「ＹＥＳ」）、制御回路６０は、消灯制御処理を行う（図４のＳ１６０）。
具体的には、制御回路６０は、点灯回路２０に変換動作を実行させているときに、ランプ接続検出回路３０により消灯指示信号が出力されると、点灯回路２０に対する制御によって点灯回路２０に変換動作を停止させる。そして、点灯回路２０は制御回路６０の制御を受けることにより変換動作を停止して、光源電圧の生成を停止する。そして、制御回路６０はこれらの制御を消灯制御信号によって行う。すなわち、制御回路６０は、消灯制御信号を点灯制御回路２１に出力する。
また、制御回路６０は、昇圧部１８０に昇圧動作を実行させているとき、ランプ接続検出回路３０により消灯指示信号が出力されると、昇圧部１８０に対する制御によって昇圧部１８０に昇圧動作を停止させる。そして、昇圧部１８０は、昇圧動作の実行中に制御回路６０の制御を受けることにより昇圧動作を停止する。そして、制御回路６０はこれらの制御を消灯制御信号によって行う。すなわち、制御回路６０は、消灯制御信号をＰＦＣ制御回路１１に出力する。
なお、第一コンバータ回路４０は、点灯回路２０により光源電圧の生成が停止されると、第一制御電源Ｖｃｃ１の供給を停止する。そして、ＰＦＣ制御回路１１は、第一制御電源Ｖｃｃ１の供給が停止することにより、スイッチング素子Ｑ１のスイッチング制御を停止する。その結果、昇圧部１８０の昇圧動作が停止する。
そして、第二コンバータ回路５０は、第一コンバータ回路４０により第一制御電源Ｖｃｃ１の供給が停止されると、第一制御電源Ｖｃｃ１に基づく動作用制御電源Ｖ２２の供給を停止する。
更に、制御回路６０は、第二コンバータ回路５０をオンし、第二コンバータ回路５０に直流電源Ｖｄｃから待機用制御電源Ｖ２１（待機用電圧値Ｖ２１の第二制御電源Ｖｃｃ２）を生成させる（図４のＳ１６１）。すなわち、第二コンバータ回路５０は、直流電源Ｖｄｃから待機用制御電源Ｖ２１（待機用電圧値Ｖ２１の第二制御電源Ｖｃｃ２）への変換を再開する。つまり、第二コンバータ回路５０は、動作用制御電源Ｖ２２の供給から待機用制御電源Ｖ２１の供給へと切り替える。ここで、第二コンバータ回路５０は、昇圧部１８０により昇圧された直流電源Ｖｄｃから待機用電圧値Ｖ２１の第二制御電源Ｖｃｃ２への変換を再開してもよい。また、第二コンバータ回路５０は、昇圧部１８０により昇圧されていない直流電源Ｖｄｃから待機用電圧値Ｖ２１の第二制御電源Ｖｃｃ２への変換を再開してもよい。そして、制御回路６０は、ランプ接続検出信号の監視を継続する（図４のＳ２０７）。
【００４２】
この時、制御回路６０は、高周波数の動作クロックｆｃｐｕから低周波数の動作クロックｆｃｐｕに切り替えて動作する（図４のＳ１０３）。
【００４３】
（実施の形態１の効果）
このように、本実施の形態の点灯装置１００は、待機時（消灯制御中）は、点灯動作時よりも制御回路６０の動作クロックを低周波数（低速）にすることによって、制御回路６０の消費電力を抑えることができる。
【００４４】
本実施の形態の点灯装置１００は、第二コンバータ回路５０によって、光源モジュール２００が接続されていないとき（待機時）には、待機用制御電源Ｖ２１を生成し、光源モジュール２００が接続されているとき（点灯動作時）には、動作用制御電源Ｖ２２を生成する。そして、待機用制御電源Ｖ２１の待機用電圧値Ｖ２１が動作用制御電源Ｖ２２の点灯時用電圧値Ｖ２２よりも低いので、待機時の消費電力（点灯制御回路２１、制御回路６０及びランプ接続検出回路３０で消費する電力）を減らすことができる。
さらに、第二コンバータ回路５０は、点灯動作時には、待機用制御電源Ｖ２１の生成を停止するため、第二コンバータ回路５０での損失も抑えることができる。
また、第二コンバータ回路５０は、交流電源ＡＣが供給されている間、常に第二制御電源Ｖｃｃ２を出力する。つまり待機時においても、第二コンバータ回路５０は、安定した直流の待機用制御電源Ｖ２１を生成する。その為、点灯制御回路２１、制御回路６０及びランプ接続検出回路３０を安定的に動作させることができる（誤動作を防ぐことができる）。そして、確実に光源モジュール２００の接続状態を監視することができる。
【００４５】
実施の形態２．
本実施の形態について、主に実施の形態１との差異を説明する。
【００４６】
図５は照明器具８００の構成を示す図である。
実施の形態２の照明器具８００に備えられる点灯装置１００は、点灯制御回路２１の制御電源供給方法が実施の形態１と異なっている。本実施の形態では、点灯制御回路２１は、電源として第一コンバータ回路４０から第一制御電源Ｖｃｃ１が供給される。
主たる回路動作は、実施の形態１と同様である。しかしながら、光源の点灯動作時には、点灯制御回路２１の電源（第一制御電源Ｖｃｃ１）が第一コンバータ回路４０から供給されるため、第一制御電源Ｖｃｃ１から第二制御電源Ｖｃｃ２への電力変換による損失を抑えることができる。
【００４７】
実施の形態３．
本実施の形態について、主に実施の形態１との差異を説明する。
【００４８】
図６は照明器具８００の構成を示す図である。
実施の形態３の照明器具８００に備えられる点灯装置１００は、光源モジュール２００の異常を検出する異常検出回路７０（異常検出部）を備える。異常検出回路７０は、指示信号出力部の一種である。
【００４９】
異常検出回路７０は、例えば、発光ダイオードＬＤの断線（オープン）故障や短絡故障など光源モジュール２００の異常を検出すると、光源モジュール２００の異常を示す検出信号を出力する。ここで、光源モジュール２００の異常を示す検出信号は、消灯指示信号の一種である。
一方、光源モジュール２００に異常が無い場合は、異常検出回路７０は、光源モジュール２００の正常を示す検出信号を出力する。光源モジュール２００の正常を示す検出信号は、点灯指示信号の一種である。
換言すると、異常検出回路７０は、光源モジュール２００の異常の有無を監視し、光源モジュール２００に異常が無い場合に出力信号として点灯指示信号を出力し、光源モジュール２００に異常が有る場合に出力信号として消灯指示信号を出力する。
【００５０】
図４のＳ１０９（点灯制御処理）が行われた後に、制御回路６０は、図４のＳ１１２において、異常検出回路７０から出力される出力信号の監視を行う。この時、制御回路６０は、ランプ接続検出信号も同時に監視してもよい。そして、制御回路６０は、異常を示す検出信号を検出すると、消灯制御フラグＦｏｆｆ＝０に設定し、消灯制御処理（図４のＳ１６０）を行う。すなわち、制御回路６０は、異常を示す検出信号を検出すると、消灯制御信号を点灯制御回路２１とＰＦＣ制御回路１１とに対して出力する。
ここで、例えば、異常検出回路７０は点灯回路２０が出力する電圧を検出しており、発光ダイオードＬＤの故障があった場合に、許容電圧を超えたり、下回ったりする電圧を検出する。そして、異常検出回路７０はこの許容電圧を超えたり下回ったりする電圧を、異常を示す検出信号として出力する。制御回路６０は、異常を示す検出信号を検出することで、光源モジュール２００を構成する複数の発光ダイオードＬＤのいずれかが短絡故障やオープン故障したと判定する。
【００５１】
更に、制御回路６０は、動作クロックｆｃｐｕを低速に選択する（図４のＳ１０３）。
【００５２】
そして、点灯回路２０は、光源電圧を生成中に異常検出回路７０により光源モジュール２００の異常が検出された場合に、光源電圧の生成を停止するので、第一コンバータ回路４０は第一制御電源Ｖｃｃ１を生成しなくなる。また、第二コンバータ回路５０がオンされ、第二コンバータ回路５０に直流電源Ｖｄｃから待機用電圧値Ｖ２１の第二制御電源Ｖｃｃ２を生成させる。つまり、光源モジュール２００が点灯装置１００から外されているときと同じ状態（待機状態）とすることができ、省電力化を図ることができる。
【００５３】
実施の形態４．
本実施の形態について、主に実施の形態１との差異を説明する。
【００５４】
図７は照明器具８００の構成を示す図である。
実施の形態４の照明器具８００に備えられる点灯装置１００は、点灯制御インターフェース８０（点灯制御ＩＦ）を備える。点灯制御インターフェース８０（指示部）は、光源モジュール２００の点灯もしくは消灯を指示する。点灯制御インターフェース８０は指示信号出力部の一種である。
【００５５】
点灯制御インターフェース８０は、調光制御装置（照明制御装置）などの外部機器からの制御信号（点灯信号／調光信号／消灯信号）を入力し、入力した外部機器からの制御信号に応じたインターフェース制御信号（ＩＦ制御信号）を制御回路６０に伝達する。
点灯制御インターフェース８０は、例えば、調光制御装置から出力されるＰＷＭ（Ｐｕｌｓｅ  Ｗｉｄｔｈ  Ｍｏｄｕｌａｔｉｏｎ）信号を受信し、このＰＷＭ信号に応じた直流電圧をインターフェース制御信号として生成する。制御回路６０は、インターフェース制御信号の電圧に応じて、点灯信号であるか、調光信号であるか、消灯信号であるかを判断する。また、インターフェース制御信号には調光度を示す調光信号の情報も含まれている。そして、消灯信号を示すインターフェース制御信号は、消灯指示信号の一種であり、点灯信号を示すインターフェース制御信号と調光信号を示すインターフェース制御信号とは、点灯指示信号の一種である。
換言すると、点灯制御インターフェース８０は、光源モジュール２００の点灯指示と光源モジュール２００の消灯指示とを入力する入力装置を有する。点灯制御インターフェース８０は入力装置により光源モジュール２００の点灯指示が入力された場合に点灯指示信号を出力し、入力装置により光源モジュール２００の消灯指示が入力された場合に消灯指示信号を出力する。
【００５６】
図４のＳ１０９（点灯制御処理）が行われた後に、制御回路６０は、図４のＳ１１２において、消灯指示信号（消灯信号を示すインターフェース制御信号）の監視を行う。この時、制御回路６０は、ランプ接続検出信号や異常検出信号を同時に監視してもよい。そして、制御回路６０は、消灯指示信号を検出すると、消灯制御フラグＦｏｆｆ＝０に設定し、消灯制御処理（図４のＳ１６０）を行う。すなわち、制御回路６０は、消灯指示信号を検出すると、消灯制御信号を点灯制御回路２１とＰＦＣ制御回路１１とに対して出力する。
そして、点灯回路２０は、光源電圧を生成中に点灯制御インターフェース８０により光源の消灯が指示された場合に、光源電圧の生成を停止する。
【００５７】
更に、制御回路６０は、動作クロックｆｃｐｕを低速に選択する（図４のＳ１０３）。
【００５８】
そして、消灯時においても、光源モジュール２００が点灯装置１００から外されているときと同じ状態（待機状態）とすることができ、省電力化を図ることができる。
【００５９】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【００６０】
また、制御回路６０に消灯指示信号を出力する手段として、実施の形態３では異常検出回路７０の例を説明し、実施の形態４では点灯制御インターフェース８０の例を説明したが、制御回路６０は他の手段から消灯指示信号を入力してもよい。
【符号の説明】
【００６１】
１０  ＰＦＣ回路、１１  ＰＦＣ制御回路、２０  点灯回路、２１  点灯制御回路、３０  ランプ接続検出回路、４０  第一コンバータ回路、５０  第二コンバータ回路、６０  制御回路、７０  異常検出回路、８０  点灯制御インターフェース、１００  点灯装置、１５０  直流生成部、１６０  光源検出部、１７０  平滑化部、１８０  昇圧部、２００  光源モジュール、８００  照明器具、ＡＣ  交流電源、Ｃ１  コンデンサ、Ｄ１〜Ｄ４  ダイオード、ＤＢ  整流回路、Ｌ１  インダクタ、Ｌ２  コイル、Ｌ２ｐ  一次巻線、Ｌ２ｓ  二次巻線、ＬＤ  発光ダイオード、Ｒ１，Ｒ２  抵抗、Ｒ３  検出抵抗、Ｒ３１〜Ｒ３３  抵抗、Ｒｓ  接続抵抗、Ｑ１，Ｑ２  スイッチング素子、Ｖｃｃ１  第一制御電源、Ｖｃｃ２  第二制御電源、Ｖｄｃ  直流電源。
【図１】
2014099283.tif 000003
【図２】
2014099283.tif 000004
【図３】
2014099283.tif 000005
【図４】
2014099283.tif 000006
【図５】
2014099283.tif 000007
【図６】
2014099283.tif 000008
【図７】
2014099283.tif 000009